(57)【要約】【課題】ブラシに操作力を付与する際に該ブラシにねじれが生ずることを抑制して該操作力の低減化を図ること。【解決手段】機械室１０ｂの前面開口１８を閉塞する態様でケース本体１０に着脱可能に設けられ、通気孔３５が形成されたカバー３０と、凝縮器２３とカバー３０との間に配設され、通過する空気に含まれる塵埃物を捕集するフィルタ部５３を有するフィルタ枠部材５０とを備え、フィルタ部５３の上方域に設けられた上レール４０と、フィルタ部５３の前面に接触可能なブラシ毛６５を有し、上レール４０に吊り下げ支持されるとともに下端部がカバー３０によりブラシ毛６５がフィルタ部５３から離隔することを規制され、上レール４０の延在方向に沿って移動することによりブラシ毛６５がフィルタ部５３に摺接するブラシ６０と、ブラシ６０における上レール４０の近傍に設けられた操作部６７とを備えている。【選択図】図１
2020098060.tif 000002
【特許請求の範囲】
【請求項１】
装置本体内部の機械室に設置され、かつ該機械室と区画された収納庫の内部雰囲気を所定の温度に調整する温度調整手段を構成する庫外熱交換器と、
前記機械室の前面開口を閉塞する態様で前記装置本体に着脱可能に設けられ、かつ複数の通気孔が形成されたカバーと、
前記庫外熱交換器と前記カバーとの間に配設され、通過する空気に含まれる塵埃物を捕集するフィルタ部を有するフィルタ枠部材と
を備え、前記収納庫に収納された商品を所望の温度状態に保持する商品収納装置において、
前記フィルタ部の上方域に、左右方向に沿って延在する態様で設けられた上レールと、
前記フィルタ部の前面に接触可能なブラシ毛を有し、前記上レールに吊り下げ支持されるとともに下端部が前記カバーにより前記ブラシ毛が前記フィルタ部から離隔することを規制され、かつ該上レールの延在方向に沿って移動することにより該ブラシ毛が該フィルタ部に摺接するブラシと、
前記ブラシにおける前記上レールの近傍に、前記カバーに形成された操作孔を貫通する態様で前方に突出して設けられた操作部と
を備えたことを特徴とする商品収納装置。
【請求項２】
前記ブラシは、
前記上レールに摺動可能に案内される摺動部と、
前記摺動部より下方に向けて延在し、前記ブラシ毛が取り付けられた本体部と
を備え、
前記摺動部が前記本体部よりも左右方向の寸法が大きくなる態様で形成されたことを特徴とする請求項１に記載の商品収納装置。
【請求項３】
前記フィルタ枠部材が前記カバーに取り付けられるとともに、前記上レールが前記フィルタ枠部材と前記カバーとの間に介在する態様で該カバーに取り付けられたことを特徴とする請求項１又は請求項２に記載の商品収納装置。
【発明の詳細な説明】
【技術分野】
【０００１】
本発明は、商品収納装置に関し、より詳細には、収納する商品を所望の温度状態に保持するショーケース等の商品収納装置に関するものである。
【背景技術】
【０００２】
従来、収納する商品を所望の温度状態に保持する商品収納装置として所謂ショーケースが知られており、かかるショーケースは、ケース本体の内部に収納庫及び機械室を備えている。
【０００３】
収納庫は、複数の商品載置棚が上下方向に沿って複数段設けられた室である。それぞれの商品載置棚には、商品が載置されており、これにより収納庫は商品を収納するものである。
【０００４】
機械室は、収納室と区画されており、収納庫の内部雰囲気を冷却するための冷却ユニットを構成する凝縮器等の冷凍機器が設置されている。この機械室は、前面開口がケース本体に着脱可能に設けられたカバーにより閉塞されており、庫外ファン及び凝縮器用フィルタが設けられている。
【０００５】
庫外ファンは、駆動する場合に、カバーに形成された通気孔より外気を取り込み、取り込んだ外気を凝縮器に送出することで、該凝縮器での熱交換を促進させるものである。凝縮器用フィルタは、凝縮器の前方域に設置されており、上記通気孔を通過する外気の塵埃物を捕集するもので、凝縮器の目詰まりを抑制するものである。
【０００６】
そして、上記ショーケースにおいては、凝縮器用フィルタに付着した塵埃物を除去するための清掃ブラシが設けられている。清掃ブラシは、複数のブラシ毛が植毛されたブラシ本体が、上下一対となる態様で左右方向に沿って延在する上レール及び下レールに沿って移動することにより、ブラシ毛が凝縮器用フィルタに摺接して塵埃物を除去している（例えば、特許文献１参照）。
【先行技術文献】
【特許文献】
【０００７】
【特許文献１】特許第６４１５６５７号公報
【発明の概要】
【発明が解決しようとする課題】
【０００８】
ところで、上記ショーケースにおいては、清掃ブラシを構成するブラシ本体が上レール及び下レールに沿って移動することで塵埃物を除去するから上下方向が長手方向となる長尺状のものであり、しかもかかるブラシ本体を移動させるための操作を行う取手部がブラシ本体の上端部に設けられていたので、次のような問題があった。
【０００９】
すなわち、取手部から離隔するブラシ本体の下端部は、下レールに拘束されているので、取手部に操作力が付与される場合、モーメント等の作用によりねじれが生じてしまい、かかるねじれが生じた状態で下レールに摺動することになり、結果的に操作力が過大なものとなっていた。尚、ここでは、商品収納装置の一例としてショーケースを示したが、かかる問題はショーケースに限られるものではない。
【００１０】
本発明は、上記実情に鑑みて、ブラシに操作力を付与する際に該ブラシにねじれが生ずることを抑制して該操作力の低減化を図ることができる商品収納装置を提供することを目的とする。
【課題を解決するための手段】
【００１１】
上記目的を達成するために、本発明に係る商品収納装置は、装置本体内部の機械室に設置され、かつ該機械室と区画された収納庫の内部雰囲気を所定の温度に調整する温度調整手段を構成する庫外熱交換器と、前記機械室の前面開口を閉塞する態様で前記装置本体に着脱可能に設けられ、かつ複数の通気孔が形成されたカバーと、前記庫外熱交換器と前記カバーとの間に配設され、通過する空気に含まれる塵埃物を捕集するフィルタ部を有するフィルタ枠部材とを備え、前記収納庫に収納された商品を所望の温度状態に保持する商品収納装置において、前記フィルタ部の上方域に、左右方向に沿って延在する態様で設けられた上レールと、前記フィルタ部の前面に接触可能なブラシ毛を有し、前記上レールに吊り下げ支持されるとともに下端部が前記カバーにより前記ブラシ毛が前記フィルタ部から離隔することを規制され、かつ該上レールの延在方向に沿って移動することにより該ブラシ毛が該フィルタ部に摺接するブラシと、前記ブラシにおける前記上レールの近傍に、前記カバーに形成された操作孔を貫通する態様で前方に突出して設けられた操作部とを備えたことを特徴とする。
【００１２】
また本発明は、上記商品収納装置において、前記ブラシは、前記上レールに摺動可能に案内される摺動部と、前記摺動部より下方に向けて延在し、前記ブラシ毛が取り付けられた本体部とを備え、前記摺動部が前記本体部よりも左右方向の寸法が大きくなる態様で形成されたことを特徴とする。
【００１３】
また本発明は、上記商品収納装置において、前記フィルタ枠部材が前記カバーに取り付けられるとともに、前記上レールが前記フィルタ枠部材と前記カバーとの間に介在する態様で該カバーに取り付けられたことを特徴とする。
【発明の効果】
【００１４】
本発明によれば、上レールが、フィルタ部の上方域において左右方向に沿って延在する態様で設けられ、フィルタ部の前面に接触可能なブラシ毛を有するブラシが、上レールに吊り下げ支持されるとともに下端部がカバーによりブラシ毛がフィルタ部から離隔することを規制されており、カバーに形成された操作孔を貫通する態様で前方に突出する操作部がブラシにおける上レールの近傍に設けられているので、ブラシの下端部が、カバーによりフィルタ部から離隔することが規制されているものの、フリーな状態である。そのため、操作部に操作力が付与された場合、該操作部から離隔するブラシの下端部においてねじれが生ずる虞れがない。従って、ブラシに操作力を付与する際に該ブラシにねじれが生ずることを抑制して該操作力の低減化を図ることができるという効果を奏する。
【図面の簡単な説明】
【００１５】
【図１】図１は、本発明の実施の形態である商品収納装置を模式的に示す断面側面図である。
【図２】図２は、図１に示したカバーを示す斜視図である。
【図３】図３は、図１に示したカバーを示す斜視図である。
【図４】図４は、図１に示したカバーを示す分解斜視図である。
【図５】図５は、図４に示したカバーの要部を示す分解斜視図である。
【図６】図６は、図４及び図５に示したブラシを示す斜視図である。
【図７】図７は、図４及び図５に示したブラシを示す斜視図である。
【図８】図８は、図４及び図５に示したブラシを示す分解斜視図である。
【図９】図９は、図４及び図５に示したブラシを示す分解斜視図である。
【図１０】図１０は、図４及び図５に示したブラシをカバーに装着した状態を拡大して示す背面図である。
【図１１】図１１は、図４及び図５に示したブラシをカバーに装着した状態を拡大して示す断面図である。
【図１２】図１２は、図２及び図３に示したカバーの断面側面図である。
【発明を実施するための形態】
【００１６】
以下に添付図面を参照して、本発明に係る商品収納装置の好適な実施の形態について詳細に説明する。
【００１７】
図１は、本発明の実施の形態である商品収納装置を模式的に示す断面側面図である。ここで例示する商品収納装置は、例えばコンビニエンスストアやスーパーマーケット等の店舗に設置されるショーケースであり、装置本体であるケース本体１０を備えている。
【００１８】
ケース本体１０は、略直方状の筐体であり、断熱構造を有する収容室１０ａと、該収容室１０ａの下方域に形成された機械室１０ｂとを有している。収容室１０ａは、前面に開口（以下、前方開口ともいう）１０ａ１を有しており、その内部には収納庫１１が画成されているとともに、空気循環手段１２が設けてある。収納庫１１は、上記前方開口１０ａ１を臨む態様で画成されており、複数の商品載置棚１３が上下方向に沿って複数段並べて配設してある。
【００１９】
空気循環手段１２は、空気通路１４と循環ファン１５とを備えて構成してある。空気通路１４は、吸込口１６から吹出口１７に至る空気の通路である。ここで吸込口１６は、収納庫１１の内部の空気を吸い込むための開口であり、収納庫１１の左右方向に沿って延設してある。この吸込口１６は、収納庫１１の下側前方縁部、すなわちケース本体１０の前方開口１０ａ１近傍の下部に配設してある。吹出口１７は、収納庫１１の内部に空気を吹き出すための開口である。この吹出口１７は、収納庫１１の左右方向に沿って延設してあり、収納庫１１の上側前方縁部、すなわちケース本体１０の前方開口１０ａ１近傍の上部に配設してある。
【００２０】
このような空気通路１４は、収納庫１１の外部であってその下方にある下方ダクト１４ａと、収納庫１１の外部であってその背面側にある背面ダクト１４ｂと、収納庫１１の外部であってその上方にある上方ダクト１４ｃとを互いに連通した態様で構成してある。
【００２１】
循環ファン１５は、下方ダクト１４ａの所定部位に配設してある。本実施の形態においては、循環ファン１５は、下方ダクト１４ａの所定部位に配設してあるが、本発明では、循環ファン１５の配設部位は特に限定されるものではなく、循環ファン１５の機能を発揮することができる個所であればどの部位に配設しても構わない。かかる循環ファン１５は、図示せぬ制御部から与えられる指令により駆動することにより、回転駆動するものである。
【００２２】
このような空気循環手段１２においては、循環ファン１５が回転駆動することにより吸込口１６を通じて収納庫１１の内部にある空気を吸い込み、吸い込んだ空気が空気通路１４を通過する態様で吹出口１７まで送出し、吹出口１７を通じて送出した空気を収納庫１１の内部に吹き出すことにより、収納庫１１の内部と外部との間で空気を循環させるものである。
【００２３】
上記空気通路１４の背面ダクト１４ｂには、蒸発器２１が設けてある。蒸発器２１は、機械室１０ｂに配設された圧縮機２２及び凝縮器２３等の冷凍機器とともに冷媒を循環させることで収納庫１１の内部雰囲気を冷却する温度調整手段２０を構成している。
【００２４】
ここで圧縮機２２は、冷媒を圧縮するものであり、凝縮器２３は、圧縮機２２で圧縮された冷媒を凝縮させるものである。この凝縮器２３で凝縮した冷媒は、図示せぬ膨張機構で断熱膨張されて低温低圧の状態にされる。蒸発器２１は、循環ファン１５が回転駆動することにより背面ダクト１４ｂを下方から上方に向けて通過する空気と、膨張機構で断熱膨張された冷媒とを熱交換させるもの、より詳細には、冷媒を蒸発させることにより背面ダクト１４ｂ（空気通路１４）を通過する空気を冷却するものである。この蒸発器２１で蒸発した冷媒は、再び圧縮機２２に戻り圧縮されることになる。
【００２５】
機械室１０ｂは、収容室１０ａの下方域において上記収納庫１１を含む該収容室１０ａと区画されて設けてある。この機械室１０ｂは、前面に開口（以下、前面開口ともいう）１８を有しており、内部に上記冷凍機器の他、庫外ファン２５が設けてある。庫外ファン２５は、凝縮器２３の前方側に設置してあり、制御部から与えられる指令により駆動することにより回転駆動するものである。機械室１０ｂの前面開口１８は、カバー３０により閉塞される。
【００２６】
図２〜図４は、それぞれ図１に示したカバー３０を示すものであり、図２及び図３は、斜視図であり、図４は、分解斜視図である。これら図２〜図４に示すように、カバー３０は、例えば板金等を加工して構成してあり、上端部３１、下端部３２及び左右両端部３３，３４が後方に屈曲された平板状部材である。尚、カバー３０の上端部３１は、左右両端部の後端部分が下方に屈曲してカバー下延部３１ａが形成されており、カバー３０の下端部３２は、一部の後端部分が上方に屈曲してカバー上延部３２ａが形成されている。
【００２７】
かかるカバー３０は、ケース本体１０に対して着脱可能に設けてあり、ケース本体１０に装着される場合に、機械室１０ｂの前面開口１８を閉塞するものである。そのようなカバー３０には、通気孔３５及び操作孔３６が形成してある。
【００２８】
通気孔３５は、カバー３０における通風領域に複数形成してある。通風領域は、凝縮器２３の前方側に位置する領域である。操作孔３６は、通風領域の上方域において左右方向に沿って延在する長孔である。
【００２９】
そのようなカバー３０には、上レール４０及びフィルタ枠部材５０が取り付けてある。上レール４０は、例えば板金等を加工して構成した左右方向が長手方向となる長尺状部材である。この上レール４０は、図５に示すように、レール基部４１と、レール下延部４２と、レール上延部４３と、レール後延部４４とを有している。
【００３０】
レール基部４１は、左右方向に沿って延在する水平延在部分である。このレール基部４１には、左右方向に沿って延在する長孔形状のレール孔４１ａが形成してある。レール下延部４２は、レール基部４１の後端縁部より下方に向けて延在する平板状部分である。レール上延部４３は、レール基部４１の前端縁部より上方に向けて延在する平板状部分である。レール後延部４４は、左右一対となるものであり、それぞれレール上延部４３の左右の延在端部より後方に向けて延在する平板状部分である。これらレール後延部４４のうち、右側のレール後延部４４の右端部分と、左側のレール後延部４４の左端部分とには、それぞれ延在端部より下方に向けて延在する取付片部４４ａが形成してある。
【００３１】
そのような上レール４０は、カバー３０に対し、レール上延部４３が該カバー３０における操作孔３６の上方部分の後面に接するとともに、レール後延部４４がカバー３０の上端部３１の下面に接し、かつ取付片部４４ａがカバー下延部３１ａの前面に接する態様で挿入され、カバー下延部３１ａに形成された取付支持孔３１１を後方から貫通する取付ピンＰが取付片部４４ａに形成されたレール取付孔４４１を挿通して螺合することにより、該カバー３０に取り付けてある。
【００３２】
フィルタ枠部材５０は、例えば板金等を加工して構成してあり、複数（図示の例では４つ）のフィルタ開口５１が形成してある。このフィルタ枠部材５０は、該フィルタ開口５１が多孔質のメッシュ材５２により閉塞されることで、通過する空気に含まれる塵埃物を捕集するフィルタ部５３を有している。
【００３３】
このようなフィルタ枠部材５０は、図４に示すように、上端部及び下端部の左右両側部分に形成されたフィルタ取付孔５４を後方から貫通する取付ピンＰがカバー下延部３１ａ及びカバー上延部３２ａに形成された取付支持孔３１２，３２２を挿通して螺合することにより、上記上レール４０が取り付けられたカバー３０に、該カバー３０の通風領域の後方側を覆う態様で取り付けてある。
【００３４】
つまり、上レール４０は、カバー３０とフィルタ枠部材５０との間に介在しており、ブラシ６０を吊り下げ支持している。
【００３５】
図６〜図９は、それぞれ図４及び図５に示したブラシ６０を示すものであり、図６及び図７は、斜視図であり、図８及び図９は、分解斜視図である。これら図６〜図９にも示すように、ブラシ６０は、上下方向が長手方向となる長尺状のブラシ基部６０ａを備えている。ブラシ基部６０ａは、例えば板金等を加工して構成してあり、本体部６１と摺動部６２とを有している。
【００３６】
本体部６１は、上下方向が長手方向となる長尺状部分であり、左端部６１１及び右端部６１２が前方に屈曲してあるとともに、下端部６１３が前方に屈曲した後に上方に屈曲してある。このような本体部６１には、後面６１４、左端部６１１、右端部６１２及び下端部６１３のそれぞれにブラシ支持部材６３を装着することにより、該後面６１４に左右一対となる態様で上下方向に沿って延在するブラシ毛６５が取り付けてある。このブラシ毛６５は、その先端部分が上記フィルタ部５３に摺接可能である。
【００３７】
また本体部６１における前面の上端部分には、操作部用取付片６６が装着してある。操作部用取付片６６は、板金等を屈曲等して形成したものであり、その上端部に操作部用取付孔６６ａが形成してある。かかる操作部用取付孔６６ａには、カバー３０の操作孔３６を前方から貫通する操作部６７が挿入して取り付けてある。
【００３８】
更に本体部６１における下端部６１３の上方延在部分６１３ａには、前方に向けて突出する複数（図示の例では２つ）の突部６８が取り付けてある。これら突部６８は、例えば樹脂材により構成されている。
【００３９】
摺動部６２は、本体部６１の上方部分に設けてあり、摺動後延部６２１と、摺動上延部６２２と、摺動水平延在部６２３とを有している。摺動後延部６２１は、本体部６１の上端部分より後方に向けて延在する部分である。摺動上延部６２２は、摺動後延部６２１の後端部分より上方に向けて延在する部分であり、左右方向の寸法が摺動後延部６２１よりも拡大している。摺動水平延在部６２３は、摺動上延部６２２の上端部分より前方に向けて延在する水平延在部分である。かかる摺動部６２は、本体部６１よりも左右方向の寸法が大きくなる態様で形成してある。
【００４０】
そのようなブラシ６０は、次のようにして上レール４０に吊り下げ支持されている。すなわち、図１０及び図１１に示すように、レール基部４１の上方と下方とにスペーサＳを介在させた状態で、該レール基部４１の上方に摺動水平延在部６２３を配置するとともに、レール下延部４２の後方に摺動上延部６２２を配置する。そして、上記スペーサＳのそれぞれに形成された図示せぬ貫通孔と、レール孔４１ａとを下方から貫通するレールピンＲＰが摺動水平延在部６２３に形成されたレール支持孔６２３ａを挿通して螺合することにより、ブラシ６０は、吊り下げ支持されている。このとき、操作部用取付片６６に取り付けた操作部６７は、操作孔３６より前方に突出している。
【００４１】
このようにして上レール４０に吊り下げ支持されたブラシ６０は、図１２に示すように、ブラシ毛６５の先端がフィルタ部５３に接している。またブラシ６０の下端部６１３、すなわち本体部６１における下端部６１３の上方延在部分６１３ａの突部６８は、カバー３０の後面に接している。つまり、ブラシ６０は、下端部６１３がカバー３０によりブラシ毛６５がフィルタ部５３から離隔することを規制されているだけで、フリーな状態である。しかも操作部６７は、本体部６１の上端部分に装着された操作部用取付片６６に取り付けてあるので、ブラシ６０における上レール４０の近傍に取り付けてある。
【００４２】
そのような構成を有するショーケース（商品収納装置）においては、店舗の従業員等の操作者が操作孔３６より前方に突出する操作部６７を把持して操作孔３６の延在方向に沿って移動させることにより、レールピンＲＰがレール孔４１ａを相対的に移動することで、ブラシ６０が上レール４０の延在方向に沿って移動することができる。これにより、ブラシ毛６５がフィルタ部５３を摺接することとなり、フィルタ部５３に捕集されて付着された塵埃物を該フィルタ部５３より除去することができる。
【００４３】
以上説明したように、本実施の形態であるショーケースでは、上レール４０が、フィルタ部５３の上方域において、左右方向に沿って延在する態様でカバー３０に設けられ、フィルタ部５３の前面に接触可能なブラシ毛６５を有するブラシ６０が、上レール４０に吊り下げ支持されるとともに下端部６１３がカバー３０によりブラシ毛６５がフィルタ部５３から離隔することを規制されており、カバー３０に形成された操作孔３６を貫通する態様で前方に突出する操作部６７がブラシ６０における上レール４０の近傍に設けてあるので、ブラシ６０の下端部６１３は、カバー３０によりフィルタ部５３から離隔することが規制されているものの、フリーな状態である。そのため、操作部６７に操作力が付与された場合、該操作部６７から離隔するブラシ６０の下端部６１３においてねじれが生ずる虞れがない。従って、上記ショーケースによれば、ブラシ６０に操作力を付与する際に該ブラシ６０にねじれが生ずることを抑制して該操作力の低減化を図ることができる。
【００４４】
しかも上記ショーケースによれば、ブラシ６０が上レール４０により吊り下げ支持されているので、従来のように下レールを不要とし、部品点数を低減させることで、構造の簡素化により製造コストの低減化を図ることができる。
【００４５】
また上記ショーケースによれば、ブラシ６０を構成する摺動部６２は、ブラシ毛６５が取り付けられた本体部６１よりも左右方向の寸法が大きくなる態様で形成してあるので、該摺動部６２が上レール４０を摺動する際に本体部６１の姿勢を安定させることができ、ブラシ毛６５をフィルタ部５３に良好に摺接させることができる。
【００４６】
以上、本発明の好適な実施の形態について説明したが、本発明はこれに限定されるものではなく、種々の変更を行うことができる。
【００４７】
上述した実施の形態においては、庫外熱交換器として凝縮器２３を例示したが、本発明においては、収納庫の内部雰囲気を加熱するのであれば、庫外熱交換器が蒸発器であってもよい。
【００４８】
上述した実施の形態では、上レール４０及びフィルタ枠部材５０がカバー３０に取り付けられていたが、本発明においては、上レール及びフィルタ枠部材は、必ずしもカバーに取り付けられている必要はない。
【００４９】
上述した実施の形態においては、商品収納装置としてショーケースを例示したが、本発明においては、自動販売機等であってもよい。
【符号の説明】
【００５０】
１０  ケース本体
１０ｂ  機械室
１１  収納庫
２０  温度調整手段
２３  凝縮器
１８  前面開口
２５  庫外ファン
３０  カバー
３５  通気孔
３６  操作孔
４０  上レール
５０  フィルタ枠部材
４１  レール基部
４２  レール下延部
４３  レール上延部
４４  レール後延部
４１ａ  レール孔
５１  フィルタ開口
５３  フィルタ部
６０  ブラシ
６０ａ  ブラシ基部
６１  本体部
６２  摺動部
６１１  左端部
６１２  右端部
６１３  下端部
６１４  後面
６３  ブラシ支持部材
６５  ブラシ毛
６６  操作部用取付片
６７  操作部
６８  突部
６２１  摺動後延部
６２２  摺動上延部
６２３  摺動水平延在部
ＲＰ  レールピン
【図１】
2020098060.tif 000003
【図２】
2020098060.tif 000004
【図３】
2020098060.tif 000005
【図４】
2020098060.tif 000006
【図５】
2020098060.tif 000007
【図６】
2020098060.tif 000008
【図７】
2020098060.tif 000009
【図８】
2020098060.tif 000010
【図９】
2020098060.tif 000011
【図１０】
2020098060.tif 000012
【図１１】
2020098060.tif 000013
【図１２】
2020098060.tif 000014